(57)【要約】【課題】レンタル期間が過ぎた場合に、顧客に対し早期の返却を促すことが可能なプロジェクタを提供する。【解決手段】タイマ２０はＲＴＣを備えており、現在の日付が設定された日付になったか否かを判定し、設定された日付になっていたら、ＣＰＵ１８にイベントを発する。例えば、現在の日付が返却日の１日後以降になって、タイマ２０から第３のイベントｅｖ３が発せられた場合、ＣＰＵ１８は、環境設定メモリ２４から圧縮データＣＰＤ３を読み出し展開して、ビットマップデータＢＭＤ３として副画像ビットマップメモリ２６に格納するとともに、座標データＰＤ３も導き出して併せて格納する。ＣＰＵ１８は、画像重畳回路１２を制御して、主画像である画像データＤＶ２に、副画像であるビットマップデータＢＭＤ２を座標データＰＤ２に基づいて重畳させる。【選択図】        図１
2004297557.tif 000002
【特許請求の範囲】
【請求項１】
スクリーン上に画像を投写して表示する投写表示装置であって、
画像データに応じて画素毎に駆動される光変調手段と、
該光変調手段の駆動により得られる前記画像を前記スクリーン上に投写する光学系と、
入力される主画像のデータに、副画像のデータを重畳させて、前記画像データとして出力することが可能な画像重畳部と、
前記副画像のデータを格納する副画像格納部と、
時間を計測し、予め設定された所定の時間になったら、通知する計時部と、
該計時部からの前記通知を受けた場合に、前記副画像格納部より前記副画像のデータを読み出すとともに、前記画像重畳部を制御して、前記主画像のデータに前記副画像のデータを重畳させる制御部と、
を備える投写表示装置。
【請求項２】
請求項１に記載の投写表示装置において、
前記所定の時間は、外部から与えられた時間設定情報に基づいて設定されることを特徴とする投写表示装置。
【請求項３】
請求項２に記載の投写表示装置において、
前記時間設定情報を格納する時間設定情報格納部をさらに備え、
該時間設定格納部は、情報の書き込みが制限されていることを特徴とする投写表示装置。
【請求項４】
請求項３に記載の投写表示装置において、
前記制御部は、外部から前記時間設定情報と制限解除キーとが与えられた場合に、前記制限解除キーに基づいて前記時間設定格納部に対する書き込みの制限を解除して、前記時間設定情報を前記時間設定格納部に書き込むことを特徴とする投写表示装置。
【請求項５】
請求項１に記載の投写表示装置において、
前記副画像格納部は、データの書き込みが制限されていることを特徴とする投写表示装置。
【請求項６】
請求項１に記載の投写表示装置において、
前記所定の時間として、複数の時間が設定されるとともに、
前記計時部は、設定された時間になる毎に、前記通知を行うことを特徴とする投写表示装置。
【請求項７】
請求項６に記載の投写表示装置において、
前記副画像格納部は、前記副画像として複数の画像のデータを格納するとともに、
前記制御部は、設定された前記時間となって前記計時部から前記通知を受けた場合に、前記副画像格納部より、前記時間に応じた前記副画像のデータを読み出すとともに、前記画像重畳部を制御して、前記主画像のデータに、前記時間に応じた重畳形式で、前記副画像のデータを重畳させることを特徴とする投写表示装置。
【発明の詳細な説明】
【０００１】
【発明の属する技術分野】
本発明は、画像を投写して表示する投写表示装置に関し、特に、本来表示したい主画像に対し、主画像とは異なる副画像を重畳することが可能な投写表示装置（以下、プロジェクタという。）に関するものである。
【０００２】
【従来の技術】
従来においては、例えば、下記の特許文献１に記載されているように、予め、投写表示された画像の一部を抽出して得られた複数種類の抽出画像をメモリに格納しておき、その後、主画像を投写表示する際に、そのメモリから所望の抽出画像を副画像として読み出して、主画像に対し、所望の位置に、所望の大きさで副画像を重畳して投写表示することが可能なプロジェクタが提案されていた。
【０００３】
このようなプロジェクタにおいては、本来表示したい画像の他、予め抽出して得られた抽出画像を同時に表示することができた。
【０００４】
【特許文献１】
国際公開ＷＯ９９／４０５６４号パンフレット
【０００５】
一方、近年においては、様々な物品を有償で貸し出すレンタル業が盛んになってきており、貸し出される物品として、プロジェクタもその例外ではない。レンタル業者が、プロジェクタを貸し出す場合、当然に、レンタル期間を設定して、顧客に貸し出すことになるが、顧客によっては、設定したレンタル期間を過ぎても、返却しない場合があった。
【０００６】
【発明が解決しようとする課題】
上記した従来のプロジェクタにおいては、単に主画像に副画像を重畳して投写表示する機能を有するだけであり、特にそのプロジェクタを貸し出すことについては何ら考慮されていなかったため、そのプロジェクタがレンタル業者によって顧客に貸し出された場合でも、上記した機能だけでは、顧客よるレンタル期間の徒過を抑止することは期待できなかった。
【０００７】
そこで、本発明の目的は、上記した従来技術の問題点を解決し、レンタル期間が過ぎた場合に、顧客に対し早期の返却を促すことが可能なプロジェクタを提供することにある。
【０００８】
【課題を解決するための手段およびその作用・効果】
上記した目的の少なくとも一部を達成するために、本発明の投写表示装置は、スクリーン上に画像を投写して表示する投写表示装置であって、
画像データに応じて画素毎に駆動される光変調手段と、
該光変調手段の駆動により得られる前記画像を前記スクリーン上に投写する光学系と、
入力される主画像のデータに、副画像のデータを重畳させて、前記画像データとして出力することが可能な画像重畳部と、
前記副画像のデータを格納する副画像格納部と、
時間を計測し、予め設定された所定の時間になったら、通知する計時部と、
該計時部からの前記通知を受けた場合に、前記副画像格納部より前記副画像のデータを読み出すとともに、前記画像重畳部を制御して、前記主画像のデータに前記副画像のデータを重畳させる制御部と、
を備えることを要旨とする。
【０００９】
このように、本発明の投写表示装置では、計時部が時間を計測して所定の時間になったら、制御部に通知する。制御部は、その通知を受けた場合に、副画像格納部から副画像のデータを読み出すとともに、主画像のデータに副画像のデータを重畳させるよう画像重畳部を制御する。この結果、画像重畳部から、主画像に副画像の重畳された画像データが出力され、光変換手段は、その画像データに応じて駆動され、光学系は、その駆動により得られる画像をスクリーン上に投写する。
【００１０】
従って、かかる投写表示蔵置（プロジェクタ）をレンタル品として用いる場合に、副画像として、例えば、返却を求めるメッセージを表した画像を格納しておくとともに、所定の時間として、例えば、返却日経過後の日付などを設定しておくことにより、返却日が過ぎたら、主画像に副画像として上記メッセージが重畳して表示されるため、顧客に、既にレンタル期間が過ぎていることを視認させることができ、顧客に対し、早期の返却を促すことができる。
【００１１】
本発明の投写表示装置において、前記所定の時間は、外部から与えられた時間設定情報に基づいて設定されることが好ましい。
【００１２】
このように構成することによって、例えば、レンタル業者が、適当な時間設定情報を与えることにより、所定の時間として、レンタル期間に基づいた時間を設定することができる。
【００１３】
本発明の投写表示装置において、前記時間設定情報を格納する時間設定情報格納部をさらに備え、該時間設定格納部は、情報の書き込みが制限されていることが好ましい。
【００１４】
このように、時間設定格納部に対する情報の書き込みが制限されていることにより、例えば、レンタル業者が、レンタル期間に基づいた所定時間の設定を目的として、適当な時間設定情報を与え、時間設定格納部にその時間設定情報が格納されている場合でも、顧客が勝手にその時間設定情報を書き換えて、レンタル期間を延ばしたりすることは不可能となる。
【００１５】
本発明の投写表示装置において、前記制御部は、外部から前記時間設定情報と制限解除キーとが与えられた場合に、前記制限解除キーに基づいて前記時間設定格納部に対する書き込みの制限を解除して、前記時間設定情報を前記時間設定格納部に書き込むことが好ましい。
【００１６】
このような制限解除キーを用いることによって、例えば、レンタル業者のみが、時間設定部に格納されている時間設定情報を自由に書き換えることができる。
【００１７】
なお、制限解除キーとしては、外部からそれを与えることによって、それに基づいて、結果的に、時間設定部に対する書き込みの制限が解除されればよく、その形態は自由である。
【００１８】
本発明の投写表示装置において、前記副画像格納部は、データの書き込みが制限されていることが好ましい。
【００１９】
かかる投写表示蔵置（プロジェクタ）をレンタル品として用いる場合に、顧客が勝手に副画像のデータを書き換えて、重畳される副画像の内容を変更したりする事が不可能となる。
【００２０】
本発明の投写表示装置において、前記所定の時間として、複数の時間が設定されるとともに、前記計時部は、設定された時間になる毎に、前記通知を行うことが好ましい。
【００２１】
このように、所定の時間として複数の時間を設定することができれば、設定した時間タイミングで、主画像に対する副画像の重畳を、複数回行うことができる。
【００２２】
本発明の投写表示装置において、前記副画像格納部は、前記副画像として複数の画像のデータを格納するとともに、
前記制御部は、設定された前記時間となって前記計時部から前記通知を受けた場合に、前記副画像格納部より、前記時間に応じた前記副画像のデータを読み出すとともに、前記画像重畳部を制御して、前記主画像のデータに、前記時間に応じた重畳形式で、前記副画像のデータを重畳させることが好ましい。ここで、重畳形式には、例えば、重畳位置や重畳範囲などが含まれる。
【００２３】
このように、設定された時間になるたびに、その設定された時間に応じた副画像のデータを、その設定された時間に応じた重畳形式で、主画像のデータに重畳させることができれば、例えば、副画像としてメッセージを表した画像を用いる場合、その設定された時間毎に、メッセージを変えたり、あるいは、そのメッセージの表示場所やサイズを変えたりすることができる。
【００２４】
【発明の実施の形態】
以下、本発明の実施の形態を実施例に基づいて以下の順序で説明する。
Ａ．実施例の構成：
Ｂ．実施例の動作：
Ｃ．変形例：
【００２５】
Ａ．実施例の構成：
図１は本発明の一実施例としてのプロジェクタの全体構成を示すブロック図である。本実施例のプロジェクタは、例えば、レンタル業者などで取り扱われるレンタル品として用いるのに適している。
【００２６】
本実施例におけるプロジェクタは、映像信号変換回路１０と、画像重畳回路１２と、液晶パネル駆動回路１４と、液晶パネル１６と、ＣＰＵ１８と、タイマ２０と、フレームメモリ２２と、環境設定メモリ２４と、副画像ビットマップメモリ２６と、リモコンインターフェイス回路２８と、ＰＣカードインターフェイス回路３０と、照明光学系１００と、投写光学系１０２と、を備えている。映像信号変換回路１０と、画像重畳回路１２と、ＣＰＵ１８と、タイマ２０と、環境設定メモリ２４と、リモコンインターフェイス回路２８と、ＰＣカードインターフェイス回路３０は、バス１によって互いに接続されている。また、液晶パネル駆動回路１４もバス１に接続されているが、図１ではその接続を省略している。液晶パネル１６は、照明光学系１００でほぼ均一に照明されており、液晶パネル１６に表示された画像は、投写光学系１０２によって投写スクリーン１０４上に投写される。
【００２７】
映像信号変換回路１０は、主画像として入力されるアナログ画像信号ＡＶ１をＡＤ変換して、ＡＤ変換された画像データをフレームメモリ２２に書き込んだり、その画像データをフレームメモリ２２から読み出したりするための回路である。なお、アナログ画像信号ＡＶ１としては、例えば、パーソナルコンピュータから出力されたコンピュータ画面を表すＲＧＢ信号Ｓ１や、ビデオレコーダやテレビから出力された動画を表すコンポジット画像信号Ｓ２などの画像信号が供給される。
【００２８】
図２は映像信号変換回路１０の内部構成を示すブロック図である。映像信号変換回路１０は、同期分離部３２と、ＡＤ変換部３４と、ビデオプロセッサ３６とを備えている。
【００２９】
同期分離部３２は、主画像として入力されるアナログ画像信号ＡＶ１がコンポジット画像信号Ｓ２である場合には、コンポジット画像信号Ｓ２を同期信号ＷＳＹＮＣとコンポーネント画像信号Ｓ３（同期信号を含まないアナログ画像信号）とに分離して出力する。このコンポーネント画像信号Ｓ３は、ＲＧＢの３色の画像を表す３つの色信号で構成されている。なお、入力されるアナログ画像信号ＡＶ１がＲＧＢ信号Ｓ１である場合には、別途その同期信号が入力されるため、同期分離部３２を用いる必要はない。
【００３０】
ＡＤ変換部３４は、ＲＧＢ信号Ｓ１、あるいは同期分離部３２から出力されたコンポーネント画像信号（ＲＧＢ信号）Ｓ３を、ＡＤ変換部３４内の図示しない複数のＡＤ変換器によって、色信号毎に画像データＤＶ１に変換するための回路である。なお、複数のＡＤ変換器におけるＡＤ変換のタイミングは、同期信号ＷＳＹＮＣに基づいてビデオプロセッサ３６内部で生成されるドットクロックＤＣＬＫにより制御される。
【００３１】
ビデオプロセッサ３６は、フレームメモリ２２への画像データの書き込み制御や読み出し制御を行うためのマイクロプロセッサである。ＡＤ変換部３４から出力された画像データＤＶ１は、一旦フレームメモリ２２に書き込まれ、必要に応じてフレームメモリ２２から読み出される。
【００３２】
なお、フレームメモリ２２への画像データの書き込みは、同期信号ＷＳＹＮＣに同期して行われる。また、フレームメモリ２２からの画像データの読み出しや、ビデオプロセッサ３６から出力される画像データＤＶ２の後段の回路における処理は、液晶パネル駆動回路１４（図１）から出力される同期信号ＲＳＹＮＣに同期して行われる。なお、第１の同期信号ＷＳＹＮＣと第２の同期信号ＲＳＹＮＣとは互いに非同期である。もちろん、第１の同期信号ＷＳＹＮＣと、第２の同期信号ＲＳＹＮＣとして、互いに同期する信号を使用することも可能である。
【００３３】
図１に示す環境設定メモリ２４は、コントラストデータや色補正データやキーストーン補正データなど種々の環境設定データを格納する他、重畳に用いられる副画像データや、重畳のタイミングを規定するタイマ設定データなどを格納するためのメモリである。本実施例において、副画像データは、工場出荷前において、圧縮されて、環境設定メモリ２４に格納されている。そして、重畳する際には、その圧縮データをビットマップ形式に展開した後、副画像ビットマップメモリ２６に格納する。
【００３４】
なお、工場出荷前において、副画像データを圧縮せずにそのまま副画像ビットマップメモリ２６に格納しておくようにしてもよい。
【００３５】
図３は図１における環境設定メモリ２４内部のメモリ空間を示す説明図である。図３に示すように、環境設定メモリ２４は、書き込み可能領域と、書き込み制限領域に分かれている。書き込み可能領域は、データの読み出し、書き込みが自由に行える領域であるのに対し、書き込み制限領域は、データの読み出しは自由に行えるが、データの書き込みは、後述するような特別な処理を経ないと行えないようになっている。なお、書き込み可能領域は環境設定メモリ２４のメモリ空間のアドレス「００００」以降となっており、書き込み制限領域はアドレス「０Ａ００」以降となっている。
【００３６】
また、このうち、書き込み可能領域には、プロジェクタの使用者によって設定される上述した環境設定データが格納される。一方、書き込み制限領域には、予め、工場出荷前において書き込まれた副画像データや、後述するようにレンタル業者において書き込まれるタイマ設定データが格納される。なお、副画像データはアドレス「０Ａ００」以降に格納されており、タイマ設定データはアドレス「０Ｄ００」以降に格納されている。
【００３７】
また、副画像データは、上述したとおり、圧縮されて、副画像圧縮データＣＰＤとして格納されており、本実施例では、３つの副画像圧縮データＣＰＤ１，ＣＰＤ２，ＣＰＤ３がそれぞれ格納されている。なお、これら圧縮データＣＰＤ１，ＣＰＤ２，ＣＰＤ３は、それぞれアドレス「０Ａ００」，「０Ｂ００」，「０Ｃ００」以降に格納されている。
【００３８】
従って、本実施例では、環境設定メモリ２４の書き込み制限領域のうち、副画像データが格納される領域が、請求項における副画像格納部に対応し、タイマ設定データが格納される領域が、時間設定格納部に対応する。
【００３９】
図４は図１における副画像ビットマップメモリ２６内部のメモリ空間を示す説明図である。前述したとおり、この副画像ビットマップメモリ２６には、環境設定メモリ２４に格納されている副画像圧縮データＣＰＤがビットマップ形式に展開されて、副画像ビットマップデータＢＭＤとして格納される。図４において、（ａ）は、図３に示す３つの副画像圧縮データＣＰＤのうち、圧縮データＣＰＤ１を展開して、ビットマップデータＢＭＤ１を格納した場合を、（ｂ）は圧縮データＣＰＤ２を展開して、ビットマップデータＢＭＤ２を格納した場合を、（ｃ）は圧縮データＣＰＤ３を展開して、ビットマップデータＢＭＤ３を格納した場合を、それぞれ示している。
【００４０】
また、環境設定メモリ２４に格納されている副画像圧縮データＣＰＤには、圧縮された副画像のデータ以外に、その副画像を主画像に重畳する際の重畳位置や重畳範囲を示す情報が含まれている。副画像圧縮データＣＰＤを副画像ビットマップデータＢＭＤに展開する際、その情報から座標データＰＤが導き出されて、副画像ビットマップメモリ２６に格納される。展開された副画像ビットマップデータＢＭＤは、副画像ビットマップメモリ２６のメモリ空間のアドレス「００００」以降に格納され、導出された座標データＰＤは、アドレス「ＡＡＡＡ」以降に格納される。
【００４１】
座標データＰＤは２点の座標を含んでいる（例えば、図４（ａ）に示す座標データＰＤ１では（ｘ１，ｙ１），（ｘ２，ｙ２）である。）。座標データＰＤでは、第１点の座標（例えば、ＰＤ１では（ｘ１，ｙ１））によって、主画像中における副画像の重畳位置を示しており、第１点及び第２点の２つの座標（例えば、ＰＤ１では（ｘ１，ｙ１），（ｘ２，ｙ２））によって、副画像の重畳範囲（大きさ）を示している。また、２点のうち、第１点は副画像ビットマップデータＢＭＤの左上の点に対応し、第２点は右下の点に対応している。例えば、図４（ａ）の場合では、第１点（ｘ１，ｙ１）は、ビットマップデータＢＭＤ１の左上点ａに対応し、第２点（ｘ２，ｙ２）は、右下点ｂに対応する。
【００４２】
なお、以上のことは、図４（ｂ），（ｃ）に示す他の座標データＰＤ２，ＰＤ３についても同様である。
【００４３】
図５は図１におけるフレームメモリ２２内部のメモリ空間を示す説明図である。フレームメモリ２２内には、或る時点において、主画像として、図５（ａ）に示すような木の図形がビットマップ形式で格納されているものとする。図４において、座標データＰＤに含まれていた２点の座標は、図５に示すフレームメモリ２２内のアドレス「００００」を座標（０，０）としたときの値である。従って、例えば、図４（ａ）に示す座標データＰＤ１の場合、２点の座標は（ｘ１，ｙ１），（ｘ２，ｙ２）であるので、フレームメモリ２２内では、図４（ｂ）に示すような位置となる。なお、このことは、図４（ｂ），（ｃ）に示す座標データＰＤ２，ＰＤ３の場合も同様であり、各々の座標は、図４（ｃ），（ｄ）に示すような位置となる。
【００４４】
本実施例において、重畳すべき副画像の内容や、その副画像の重畳位置及び重畳範囲は、工場出荷前において、そのプロジェクタが納入されるレンタル業者の希望に従って、設定される。そして、その設定内容を反映したデータを生成して、副画像データ（具体的には、副画像圧縮データＣＰＤ）として、環境設定メモリ２４に格納する。
【００４５】
なお、上記したフレームメモリ２２や副画像ビットマップメモリ２６は、ＤＲＡＭ（Ｄｙｎａｍｉｃ  Ｒａｎｄｏｍ  Ａｃｃｅｓｓ  Ｍｅｍｏｒｙ）やＳＲＡＭ（ｓｔａｔｉｃ  ｒａｎｄｏｍ  ａｃｃｅｓｓ  ｍｅｍｏｒｙ）などの揮発性メモリによって構成されているのに対し、環境設定メモリ２４は、電源を落としても、格納データがが消えないように、ＥＰＲＯＭ（ｅｒａｓａｂｌｅ  ｐｒｏｇｒａｍｍａｂｌｅ  ＲＯＭ）やＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）やフラッシュメモリや強誘電体メモリなどの不揮発性メモリによって構成されている。
【００４６】
画像重畳回路１２（図１）は、入力された主画像と用意された副画像とを重畳するための回路である。すなわち、画像重畳回路１２は、映像信号変換回路１０から出力される画像データＤＶ２と、副画像ビットマップメモリ２６内に展開された副画像ビットマップデータＢＭＤ（図４）とを重畳する。
【００４７】
図６は図１における画像重畳回路１２の内部構成を示すブロック図である。画像重畳回路１２は、２つの乗算部４０，４２と、１つの加算部４４と、係数設定部４６とを含んでいる。２つの乗算部４０，４２と、１つの加算部４４とからなる構成は、ＲＧＢの各色毎に設けられている。ビデオプロセッサ３６から出力された画像データＤＶ２は第１の乗算部４０に入力され、副画像ビットマップメモリ２６から読み出された副画像ビットマップデータＢＭＤは第２の乗算部４２に入力される。
【００４８】
係数設定部４６は、乗算部４０，４２の係数ｋ１，ｋ２を設定する機能を有する。係数ｋ１，ｋ２は、それぞれ「０」から「１」までの値を設定することができ、通常、ｋ１とｋ２との和が「１」となるように設定される。なお、係数ｋ１，ｋ２は、座標データＰＤ（図４）に基づいて係数設定部４６により制御される。
【００４９】
乗算部４０，４２は、それぞれに入力される画像データの各画素データを順次、定数倍するための回路である。画像データＤＶ２は、乗算部４０においてｋ１倍の信号に変換される。また、副画像ビットマップデータＢＭＤは、乗算部４２においてｋ２倍の信号に変換される。乗算部４０，４２において変換され、出力された画像データＤＶ２’および副画像ビットマップデータＢＭＤ’は、加算部４４に入力される。
【００５０】
加算部４４は、入力される２つの画像信号の画素データを順次、加算するための回路である。加算部４４において、画像データＤＶ２’と副画像ビットマップデータＢＭＤ’とが加算され、画像データＤＤＶ１として出力される。
【００５１】
従って、本実施例では、画像重畳回路１２が、請求項における画像重畳部に対応する。
【００５２】
画像重畳回路１２から出力された画像データＤＤＶ１は、液晶パネル駆動回路１４（図１）に供給される。液晶パネル駆動回路１４は、この画像データＤＤＶ１に応じて、液晶パネル１６に、主画像に副画像を重畳した画像を表示する。液晶パネル１６に表示された画像は、光学系１００，１０２を用いて投写スクリーン１０４上に投写される。すなわち、照明光学系１００により液晶パネル１６に入射した光が、液晶パネル１６に与えられた画像データに従って変調され、液晶パネル１６からの出射光が投写光学系１０２によって投写スクリーン１０４上に投写される。
【００５３】
従って、本実施例では、液晶パネル駆動回路１４や液晶パネル１６が、請求項における光変調手段に対押し、照明光学系１００及び投写光学系１０２が光学系に対応する。
【００５４】
ＣＰＵ１８（図１）は、図示せざるＲＯＭに記憶されたコンピュータプログラムに従って、プロジェクタの各部に対し、種々の処理や制御を行う。
【００５５】
タイマ２０は、リアルタイムクロック（ＲＴＣ）を備えており、現在の日付が、設定された日付になったか否かを判定し、設定された日付になっていたら、ＣＰＵ１８にイベントを発する。なお、設定日付は、環境設定メモリ２４から読み出されるタイマ設定データに基づいて設定される。このＲＴＣの年月日及び時刻データは、ユーザが変更できないように、設定または変更時にはパスワードを必要とするようにしておくことが望ましい。
【００５６】
従って、本実施例では、ＣＰＵ１８が、請求項における制御部に対応し、タイマが、計時部に対応する。もちろん、タイマ機能をソフトウェアで実現しても問題ない。
【００５７】
リモコンインターフェイス回路２８は、リモコン２９からの指令を受けて、ＣＰＵ１８に伝える。ＣＰＵ１８は、その指令に基づいて、プロジェクタの各部を制御する。
【００５８】
ＰＣカードインターフェイス回路３０は、挿入されたＰＣカード３１に格納されているデータを読み取り、ＣＰＵ１８に送る。ＣＰＵ１８は、例えば、そのデータに基づいて、環境設定メモリ２４に格納されているタイマ設定データの書き換えを行う。
【００５９】
なお、映像信号変換回路１０と、画像重畳回路１２と、リモコンインターフェイス回路２８の機能はハードウェアではなく、コンピュータプログラムによって実現することもできる。
【００６０】
Ｂ．実施例の動作：
本実施例のプロジェクタは、前述したとおり、レンタル業者に納入され、レンタル品として用いられる。
【００６１】
レンタル業者が、かかるプロジェクタを或る顧客にレンタルする際には、まず、レンタル業者支援ツールのインストールされているパーソナルコンピュータ（図示せず）に、ＰＣカードを挿入した後、その顧客の顧客情報（例えば、ユーザＩＤなど）や、そのプロジェクタの管理情報（例えば、レンタル品ＩＤなど）や、そのプロジェクタのレンタル期間をそれぞれ入力する。すると、上記支援ツールは、入力されたレンタル期間の情報から返却日を算出し、その返却日の情報を含むタイマ設定データを生成する。そして、生成したタイマ設定データと、環境設定メモリ２４の書き込み制限領域にデータを書き込むための制限解除キーと、をそれぞれＰＣカードに書き込む。レンタル業者は、それらの書き込みが終了したら、そのＰＣカードをパーソナルコンピュータから抜き取る。
【００６２】
次に、レンタル業者は、抜き取ったＰＣカード３１を、プロジェクタのＰＣカードインターフェイス回路３０に挿入して、プロジェクタを起動する。すると、ＣＰＵ１８は、初期化処理の１つとして、ＰＣカードインターフェイス回路３０を介してＰＣカード３１にアクセスし、ＰＣカード３１にタイマ設定データと制限解除キーが格納されているか否かを確認する。格納されている場合には、それらを読み出して、そのうちの制限解除キーに基づいて、環境設定メモリ２４の書き込み制限領域に対する制限を解除する。そして、ＣＰＵ１８は、環境設定メモリ２４にアクセスし、ＰＣカード３１から読み出したタイマ設定データを環境設定メモリ２４の上記領域に書き込んだ後、その領域に対する制限を再びかける。
【００６３】
これによって、プロジェクタには、タイマ設定データとして、返却日の情報が格納されることになる。
【００６４】
なお、環境設定メモリ２４の上記領域に対して書き込み制限をかけるか解除するかは、例えば、その領域に書き込みアドレスを設定しないかするかによって、切り替えることができる。また、制限を解除する場合、環境設定メモリ２４の書き込み制限領域全体について、解除する必要はなく、少なくとも、タイマ設定データの格納される領域について、解除するようにすればよい。
【００６５】
レンタル業者は、一連の初期化処理が完了したら、プロジェクタを終了し、ＰＣカード３１をプロジェクタから抜き取り、その後、顧客に、そのプロジェクタを貸し出す。
【００６６】
一方、顧客が、貸し出されたプロジェクタを使用しようとして、プロジェクタを起動すると、ＣＰＵ１８は初期化処理を開始する。その初期化処理において、ＣＰＵ１８は、環境設定メモリ２４の書き込み制限領域から、格納されているタイマ設定データを読み出し、それに含まれる返却日の情報から設定日付を導き出し、タイマ２０に設定する。設定日付としては、例えば、返却日の３日前の日付（以下、第１の設定日付という）と、返却日当日の日付（第２の設定日付という）と、返却日の１日後の日付（第３の設定日付という）がそれぞれ設定される。
【００６７】
その後、タイマ２０は、所定のタイミングで、ＲＴＣから現在の日付を取得して、その日付が設定日付になったか否かを判定する。判定の結果、いずれの設定日付にもなっていなければ、何らイベントを発生しないが、第１の設定日付になっていたら、第１のイベントｅｖ１をＣＰＵ１８に対して発生し、第２の設定日付になっていたら、第２のイベントｅｖ２を発生し、第３の設定日付になっていたら、第３のイベントｅｖ３を発生する。なお、第３の設定日付より後の日付になっていても、第３のイベントｅｖ３を発生する。
【００６８】
一方、ＣＰＵ１８は、タイマ２０から発せられるイベントに応じて、図７に示すような処理を行う。
【００６９】
図７は副画像の重畳表示に関する処理手順を示すフローチャートである。ＣＰＵ１８は、図７に示す処理を開始すると、まず、タイマ２０からのイベントを受けたか否かを判定し（ステップＳ１０２）、受けていなければ、受けるまで待機している。例えば、貸し出されて間もない場合は、上述したとおり、現在の日付が第１の設定日になるまで、すなわち、返却日の３日前になるまでは、タイマ２０から何らイベントが発せられないので、その間は、待機状態にある。
【００７０】
一方、タイマ２０からのイベントを受けた場合には、そのイベントの種類が、第１ないし第３のイベントｅｖ１〜ｅｖ３のうち、何れのイベントであるかを判定する（ステップＳ１０４）。例えば、現在の日付が第１の設定日、すなわち、返却日の３日前になって、タイマ２０から第１のイベントｅｖ１が発せられ、ＣＰＵ１８が、その第１のイベントｅｖ１を受けたと判定したら、ＣＰＵ１８は、環境設定メモリ２４に格納されている３つの圧縮データＰＤのうち、圧縮データＣＰＤ１（図３）を読み出す。そして、ＣＰＵ１８は、上述した如く、圧縮データＣＰＤ１を展開して、ビットマップデータＢＭＤ１（図４）として副画像ビットマップメモリ２６に格納するとともに、座標データＰＤ１（図４）も導き出して併せて格納する。さらに、ＣＰＵ１８は、格納した副画像ビットマップデータＢＭＤ１と座標データＰＤ１を読み出し、画像重畳回路１２（図１）を制御して、映像信号変換回路１０から出力される主画像である画像データＤＶ２に、読み出した副画像であるビットマップデータＢＭＤ１を、座標データＰＤ１に基づいて重畳させる（ステップＳ１０６）。この結果、副画像は、主画像に対して、座標データＰＤ１に従った重畳位置及び重畳範囲に重畳される。
【００７１】
図８は主画像に副画像を重畳して投写スクリーンに投写表示した場合を示す説明図である。主画像として、例えば、図８（ａ）に示すような画像（木の図形）が表示されている場合に、座標データＰＤ１に基づいて、副画像としてビットマップデータＢＭＤ１を重畳すると、投写スクリーン１０４には、図８（ｂ）に示すような画像が投写表示される。すなわち、主画像の右上に、「返却日まであと３日です。」というメッセージを表した副画像が重畳して表示されることになる。
【００７２】
これにより、顧客は、プロジェクタの返却日まで残り３日であることを視認することができる。しかも、副画像は主画像の端部に表示されているため、副画像の重畳表示が、主画像の内容を把握する妨げとはならない。
【００７３】
なお、前述したとおり、副画像の重畳位置は座標データに従って決定されるが、ビットマップデータＢＭＤ１の場合、このデータを表示する時点では、プロジェクタのレンタル期間はまだ過ぎていないので、顧客が希望する場合には、顧客からの指示に応じて、重畳表示前または重畳表示中に座標データＰＤ１に変更を加えることにより、その重畳位置を、主画像の４隅のうちの所望の位置に移動できるようにしてもよい。
【００７４】
その後、ＣＰＵ１８は、予め設定された一定時間が経過するまで待機し（ステップＳ１１２）、その時間を経過したら、画像重畳回路１２を制御して、主画像に対する副画像の重畳を終了して（ステップＳ１１４）、図７に示す一連の処理を終了する。この結果、図８（ｂ）に示した副画像の重畳表示は、一定時間行われるが、その後は、元の主画像のみの表示に戻ることになる。このため、顧客がプロジェクタを使用する上で、副画像の重畳表示が支障となることはない。
【００７５】
なお、ステップＳ１１２において、設定されている一定時間は、顧客が希望する場合には、顧客からの指示に応じて、変更できるようにしてもよい。
【００７６】
また、現在の日付が第２の設定日、すなわち、返却日当日になって、タイマ２０から第２のイベントｅｖ２が発せられ、ＣＰＵ１８が、その第２のイベントｅｖ２を受けたと判定した場合には、ＣＰＵ１８は、環境設定メモリ２４から圧縮データＣＰＤ２（図３）を読み出す。ＣＰＵ１８は、上述したのと同様に、圧縮データＣＰＤ２を展開して、ビットマップデータＢＭＤ２（図４）として副画像ビットマップメモリ２６に格納するとともに、座標データＰＤ２（図４）も導き出して併せて格納する。ＣＰＵ１８は、格納した副画像ビットマップデータＢＭＤ２と座標データＰＤ２を読み出し、画像重畳回路１２（図１）を制御して、主画像である画像データＤＶ２に、読み出した副画像であるビットマップデータＢＭＤ２を、座標データＰＤ２に基づいて重畳させる（ステップＳ１０８）。この結果、副画像は、主画像に対して、座標データＰＤ２に従った重畳位置及び重畳範囲に重畳される。従って、投写スクリーン１０４には、図８（ｃ）に示すように、主画像の左下に、「今日が返却日です。」というメッセージを表した副画像が重畳して表示されることになる。
【００７７】
これにより、顧客は、今日がプロジェクタの返却日であることを視認することができる。
【００７８】
なお、前述したとおり、副画像の重畳位置は座標データに従って決定されるが、ビットマップデータＢＭＤ２の場合も、ビットマップデータＢＭＤ１と同様に、このデータを表示する時点では、プロジェクタのレンタル期間はまだ過ぎていないので、顧客が希望する場合には、顧客からの指示に応じて、重畳表示前または重畳表示中に座標データＰＤ２に変更を加えることにより、その重畳位置を、主画像の４隅のうちの所望の位置に移動できるようにしてもよい。
【００７９】
その後の処理は、第１のイベントｅｖ１が発生された場合の処理と同様であるので、説明は省略する。
【００８０】
一方、現在の日付が第３の設定日以降、すなわち、返却日の１日後以降になって、タイマ２０から第３のイベントｅｖ３が発せられ、ＣＰＵ１８が、その第３のイベントｅｖ３を受けたと判定した場合には、ＣＰＵ１８は、環境設定メモリ２４から圧縮データＣＰＤ３（図３）を読み出す。ＣＰＵ１８は、上述した場合と同様に、圧縮データＣＰＤ３を展開して、ビットマップデータＢＭＤ３（図４）として副画像ビットマップメモリ２６に格納するとともに、座標データＰＤ３（図４）も導き出して併せて格納する。ＣＰＵ１８は、格納した副画像ビットマップデータＢＭＤ３と座標データＰＤ３を読み出し、画像重畳回路１２（図１）を制御して、主画像である画像データＤＶ２に、読み出した副画像であるビットマップデータＢＭＤ２を、座標データＰＤ２に基づいて重畳させる（ステップＳ１１０）。そして、図７に示す一連の処理を終了する。この結果、副画像は、主画像に対して、座標データＰＤ３に従った重畳位置及び重畳範囲に重畳される。従って、投写スクリーン１０４には、図８（ｄ）に示すように、主画像の中央に、「返却日が過ぎました。すぐに返却してください。」というメッセージと、その下にレンタル業者の名称［（株）○○○レンタル］を示すロゴを表した副画像が重畳して表示されることになる。
【００８１】
これにより、顧客は、既にプロジェクタのレンタル期間が過ぎていることを視認することができる。しかも、副画像は主画像の中央に大きく表示されるため、主画像は副画像が邪魔となって見えにくくなるとともに、副画像の重畳表示は、前述した第１または第２のイベントｅｖ１，ｅｖ２が発せられた場合と異なり、終了することなく、永続するため、顧客は、実質的にプロジェクタの継続的な使用が困難となる。
【００８２】
従って、本実施例によれば、プロジェクタのレンタル期間が過ぎた場合に、顧客に対し、早期の返却を促すことができる。
【００８３】
Ｃ．変形例：
なお、本発明は上記した実施例や実施形態に限られるものではなく、その要旨を逸脱しない範囲において種々の態様にて実施することが可能である。
【００８４】
上記した実施例においては、プロジェクタのレンタル期間が過ぎるまでは、主画像に副画像を一定時間重畳表示するようにしていたが（図７のステップＳ１０６，Ｓ１０８，Ｓ１１２，Ｓ１１４）、例えば、重畳表示中に、顧客からの指示に応じてメニュー等を表示させて、顧客が希望するタイミングで、そのメニューを用いて重畳表示停止の指示を与えることにより、重畳表示を終了できるようにしてもよい。あるいは、画像重畳回路１２において、その一定時間の間に、時間経過とともに、副画像用の乗算部４２の係数ｋ２を徐々に０に近づけるようにすることにより、重畳されている副画像がフェードアウトするようにしてもよい。
【００８５】
上記した実施例においては、主画像に副画像を重畳して表示する際、一定時間継続して重畳表示するか、または、永続して重畳表示するようにしていたが、本発明は、これらに限定されるものではなく、通常の表示と、重畳表示と、を交互に繰り返し表示するようにしてもよい。
【００８６】
上記した実施例においては、パーソナルコンピュータで生成したタイマ設定データを、プロジェクタに与える際、ＰＣカード３１を用いて与えるようにしていたが、本発明はこれに限定されるものではなく、パーソナルコンピュータとプロジェクタをシリアルケーブル，パラレルケーブル，ＵＳＢケーブル，ネットワークケーブルなどで有線接続して、または、無線ＬＡＮやブルートゥースなど無線接続した上で、タイマ設定データをパーソナルコンピュータからプロジェクタに与えるようしてもよい。
【００８７】
上記した実施例においては、レンタル期間を日のみで管理しているが、時刻まで含めて管理するようにしてもよい。その場合、タイマ設定データとしては、日だけでなく、時刻まで含めるようにし、タイマ２０も、ＲＴＣから現在の日付だけでなく、時刻も取得するようにして、その日時が設定日時になったか否かを判定するようにすればよい。
【００８８】
また、レンタル期間を実際の使用時間で管理するようにしてもよい。その場合、タイマ設定データとしては、使用可能時間を設定するようにし、タイマ２０は、例えば、プロジェクタが実際に動作している時間を積算し、その合計の動作時間が使用可能時間になったか否かを判定するようにすればよい。
【００８９】
上記した実施例においては、特に、レンタル期間の延長については触れなかったが、例えば、レンタル期間中に顧客がレンタル期間の延長を希望する場合もある。その場合でも、貸し出されたプロジェクタをレンタル業者に一旦返却しなければならないのでは、顧客にとって使い勝手が悪い。そこで、そのような場合には、以下のような方法を用いて、プロジェクタに設定されているタイマ設定データを顧客によって書き換え得るようにしてもよい。
【００９０】
例えば、顧客からの希望に応じて、レンタル業者が、レンタル期間を延長した新たなタイマ設定データと、制限解除キーと、を書き込んだＰＣカードを顧客に送り、顧客がそのＰＣカードをプロジェクタに挿入して、プロジェクタを起動し、制限解除キーに基づいて、環境設定メモリ２４の書き込み制限領域に新たなタイマ設定データを書き込むようにする。この場合、制限解除キーとしては、１回だけの書き込みを認める特殊キーとすることが望ましい。
【００９１】
または、顧客が所有するパーソナルコンピュータをプロジェクタにケーブルにて接続した上で、パーソナルコンピュータによってインターネットなどのネットワーク上にあるレンタル業者のサーバにアクセスし、そのサーバから、専用プログラムと、新たなタイマ設定データ及び制限解除キーと、をダウンロードし、パーソナルコンピュータにおいて、その専用プログラムを起動することにより、自動的に、その専用プログラムによって、プロジェクタに対し、制限解除キーに基づいて、環境設定メモリ２４の書き込み制限領域に新たなタイマ設定データを書き込むようにする。
【００９２】
上記した実施例においては、プロジェクタを、レンタル業者が取り扱うレンタル品として用いる場合について説明したが、次のような処理を施しておくことにより、他の業者用として用いることもできる。
【００９３】
例えば、そのプロジェクタを学校や会社などに納入する場合、工場出荷前などにおいて、予め、環境設定メモリ２４の書き込み制限領域に、副画像圧縮データＣＰＤとして、その学校や会社などの名称やマークなどを示すロゴを表した副画像を格納しておくと共に、タイマ設定データとして、納入予定日以前の日付の情報を格納しておく。なお、上記副画像圧縮データＣＰＤに含ませる重畳位置や重畳範囲を示す情報としては、副画像が主画像の端部に重畳されるような情報を含ませておく。
【００９４】
以上のような処理を施しておくことにより、そのプロジェクタが学校や会社などで使用される際には、現在の日付は、常に、タイマ設定データによって設定される設定日付以降となり、副画像が主画像に常に重畳されることになる。そのため、主画像の端部には上記したロゴが常に表示されることとなり、そのプロジェクタがその学校や会社などの所有であることを、使用時に視認させることができる。また、ロゴが表示される主画像の端部であるため、そのロゴの表示が主画像の内容を把握する妨げとなることはない。
【００９５】
なお、タイマ設定データとして使用可能時間を設定する構成となっている場合には、使用可能時間としてゼロの情報を格納しておけば、上記と同様に、副画像を主画像に常に重畳されることができる。
【００９６】
上記した実施例においては、副画像として、メッセージやロゴなどを表した画像を用いたが、本発明はこれに限定されるものではなく、文字，図形，写真，イラストなど種々の画像を、副画像として用いることが可能である。
【図面の簡単な説明】
【図１】本発明の一実施例としてのプロジェクタの全体構成を示すブロック図である。
【図２】映像信号変換回路１０の内部構成を示すブロック図である。
【図３】図１における環境設定メモリ２４内部のメモリ空間を示す説明図である。
【図４】図１における副画像ビットマップメモリ２６内部のメモリ空間を示す説明図である。
【図５】図１におけるフレームメモリ２２内部のメモリ空間を示す説明図である。
【図６】図１における画像重畳回路１２の内部構成を示すブロック図である。
【図７】副画像の重畳表示に関する処理手順を示すフローチャートである。
【図８】主画像に副画像を重畳して投写スクリーンに投写表示した場合を示す説明図である。
【符号の説明】
１…バス
１０…映像信号変換回路
１２…画像重畳回路
１４…液晶パネル駆動回路
１６…液晶パネル
１８…ＣＰＵ
２０…タイマ
２２…フレームメモリ
２４…環境設定メモリ
２６…副画像ビットマップメモリ
２８…リモコンインターフェイス回路
２９…リモコン
３０…ＰＣカードインターフェイス回路
３１…ＰＣカード
３２…同期分離部
３４…ＡＤ変換部
３６…ビデオプロセッサ
４０…第１の乗算部
４２…第２の乗算部
４４…加算部
４６…係数設定部
１００…照明光学系
１０２…投写光学系
１０４…投写スクリーン
【図１】
2004297557.tif 000003
【図２】
2004297557.tif 000004
【図３】
2004297557.tif 000005
【図４】
2004297557.tif 000006
【図５】
2004297557.tif 000007
【図６】
2004297557.tif 000008
【図７】
2004297557.tif 000009
【図８】
2004297557.tif 000010